(57)【特許請求の範囲】
【請求項１】
少なくともファクシミリ送受信に係わる制御をするコントローラと、
画像形成動作を制御する印刷制御部と、を備え、
前記コントローラと前記印刷制御部はそれぞれ別の中央処理装置によって制御を行い、
電源キーが操作される毎に装置の電源のＯＮ／ＯＦＦの切替をソフトウエアで制御するソフトスイッチと、
前記ソフトスイッチによる前記装置の電源のＯＮ／ＯＦＦ状態を示す電源遷移情報を記憶する不揮発性の記憶手段と、を有し、
前記コントローラには、
通電が開始されたときに前記電源遷移情報がＯＮ状態であるか否かを判別する手段と、
前記判別の結果、前記電源遷移情報がＯＮ状態であるときには停電又は電源プラグが抜かれたことによる電源断後からの給電開始であるとして前記印刷制御部への給電を行わせる制御をする手段と、を有し、
装置への給電がない無給電時間を算出する手段と、
前記停電又は電源プラグが抜かれたことによる電源断後からの給電開始であるときには、前記算出手段で算出した無給電時間を表示させる手段と、を備えている
ことを特徴とする画像形成装置。
【請求項２】
前記無給電時間が予め定めた時間を越えるときに、前記停電又は電源プラグが抜かれたことによる電源断後からの給電開始である旨を表示させることを特徴とする請求項１に記載の画像形成装置。
【請求項３】
少なくともファクシミリ送受信に係わる制御をするコントローラと、
画像形成動作を制御する印刷制御部と、を備え、
前記コントローラと前記印刷制御部はそれぞれ別の中央処理装置によって制御を行う画像形成装置における給電制御の処理をコンピュータに行わせるためのプログラムであって、
電源キーが操作される毎に装置の電源のＯＮ／ＯＦＦの切替を行う処理と、
前記電源キーの操作による前記装置の電源のＯＮ／ＯＦＦ状態を示す電源遷移情報を不揮発性の記憶手段に記憶する処理と、
通電が開始されたときに前記電源遷移情報がＯＮ状態であるか否かを判別する処理と、
前記判別の結果、前記電源遷移情報がＯＮ状態であるときには停電又は電源プラグが抜かれたことによる電源断後からの給電開始であるとして前記印刷制御部への給電を行わせる制御をする処理と、
装置への給電がない無給電時間を算出する処理と、
前記停電又は電源プラグが抜かれたことによる電源断後からの給電開始であるときには、前記算出した無給電時間を表示させる処理と、をコンピュータに行わせるためのプログラム。
【発明の詳細な説明】
【技術分野】
【０００１】
本発明は画像形成装置及びプログラムに関する。
【背景技術】
【０００２】
画像形成装置として、ＦＡＸなどの公衆回線からモデム経由で受信した画像（印刷データ）をメモリに蓄積し、蓄積したデータを順次印刷手段によって印刷し、印刷の終了した印刷データをメモリ上から破棄して、新たな受信データをメモリ上に蓄積するようにしたものが知られている。
【０００３】
このような画像形成装置の電源制御に関して、例えば、電源供給に関する複数の動作モードのうちのいずれかで動作し、動作モードを切り換えるモード切換手段と、当該画像処理装置の現在の動作モードを記憶するモード記憶手段と、当該画像処理装置への通電状態を検出する通電状態検出手段と、当該画像処理装置への通電が一旦遮断された後に通電が再開されたことが通電状態検出手段により検出された場合、モード記憶手段に記憶された動作モードに基づいて、当該画像処理装置の通電再開時の動作モードを決定する再開モード決定手段とを備えるものが知られている（特許文献１）。
【先行技術文献】
【特許文献】
【０００４】
【特許文献１】特開２００７−２４３５４７号公報
【発明の概要】
【発明が解決しようとする課題】
【０００５】
ところで、画像形成装置としては、シーソースイッチなどのメイン電源の給電路を直接的にＯＮ／ＯＦＦできるスイッチ（ハード的にＯＮ／ＯＦＦの切替ができるスイッチ）を持たないで、電源キーが操作されるごとにソフトウエア（プログラム）によって電源のＯＮ／ＯＦＦの切替を行うソフトスイッチのみを備えるものがある。
【０００６】
このソフトスイッチのみを備える装置では、停電や電源プラグが抜かれたことで装置への給電が停止して装置が電源ＯＦＦ状態となった場合は、停電の復旧や電源プラグの差込みで装置への給電が再開されても、ソフトスイッチの電源キーをユーザーが操作しない限り装置が起動しないため、ユーザーが装置の電源オフ状態に気づくまで、ＦＡＸの受信が停止してしまうという課題がある。
【０００７】
この場合、上述した特許文献１に開示されているように、通電状態を検知し、給電が再開されたときに電源断時の装置のモードによって装置の起動動作を判別する構成もあるが、この構成にあってはバックアップ電池を搭載して通常状態を検知する必要があり、コストが高くなるという課題がある。
【０００８】
本発明は上記の課題に鑑みてなされたものであり、コストの増加を伴うことなく、停電などによる電源断の場合の受信ダウン（受信できない状態）の時間を短縮することを目的とする。
【課題を解決するための手段】
【０００９】
上記の課題を解決するため、本発明に係る画像形成装置は、
少なくともファクシミリ送受信に係わる制御をするコントローラと、
画像形成動作を制御する印刷制御部と、を備え、
前記コントローラと前記印刷制御部はそれぞれ別の中央処理装置によって制御を行い、
電源キーが操作される毎に装置の電源のＯＮ／ＯＦＦの切替をソフトウエアで制御するソフトスイッチと、
前記ソフトスイッチによる前記装置の電源のＯＮ／ＯＦＦ状態を示す電源遷移情報を記憶する不揮発性の記憶手段と、を有し、
前記コントローラには、
通電が開始されたときに前記電源遷移情報がＯＮ状態であるか否かを判別する手段と、
前記判別の結果、前記電源遷移情報がＯＮ状態であるときには停電又は電源プラグが抜かれたことによる電源断後からの給電開始であるとして前記印刷制御部への給電を行わせる制御をする手段と、を有し、
装置への給電がない無給電時間を算出する手段と、
前記停電又は電源プラグが抜かれたことによる電源断後からの給電開始であるときには、前記算出手段で算出した無給電時間を表示させる手段と、を備えている
構成とした。
【発明の効果】
【００１４】
本発明によれば、停電などによる電源断の場合の受信ダウン（受信できない状態）の時間を短縮することができる。
【図面の簡単な説明】
【００１５】
【図１】本発明に係る画像形成装置を含むネットワーク・システムの説明に供する説明図である。
【図２】同画像形成装置の機能ブロック図である。
【図３】同画像形成装置のコントローラのソフトウエア構成の説明図である。
【図４】本発明の第１実施形態の説明に供するフロー図である。
【図５】本発明の第２実施形態の説明に供するフロー図である。
【図６】本発明の第３実施形態の説明に供するフロー図である。
【図７】本発明の第４実施形態の説明に供するフロー図である。
【発明を実施するための形態】
【００１６】
以下、本発明の実施の形態について添付図面を参照して説明する。まず、本発明に係る画像形成装置を含むネットワーク・システムについて図１の説明図を参照して説明する。
この画像形成装置を含むオフィス・フロアでのネットワーク・システム１０は、画像形成装置（以下「ＭＦＰ」ともいう。）１２と、情報処理装置１４と、サーバ２６などがイーサネット（登録商標）などローカルエリア・ネットワーク（ＬＡＮ）２８により相互接続されている。ＬＡＮ２８は、ハブ１６により画像形成装置１２、サーバ２６、情報処理装置１４などを物理接続していて、媒体アクセス制御（ＭＡＣ）アドレスおよびＩＰアドレスを使用した相互通信を行っている。
【００１７】
ハブ１６は、さらにルータ１８に接続され、ルータ１８は、ＭＦＰ１２および情報処理装置１４、サーバ２６をインターネット、ワイドエリア・ネットワーク（ＷＡＮ）などの広域ネットワーク２０に接続している。
【００１８】
広域ネットワーク２０には、ＰＯＰサーバ２２が接続されていて、画像形成装置１２、情報処理装置１４、およびサーバ２６との間でＳＭＴＰプロトコルを使用した電子メールの伝送を可能としている。なお、広域ネットワーク２０には、図１に示す以外にも、ウェブ・サーバなどが接続されていても良い。また、ＰＯＰサーバ２２は、ＩＳＰなどが提供するメール・サーバであっても良く、また、社内に設置された専用メール・サーバとして実装することもできる。
【００１９】
画像形成装置１２は、ファクシミリ、コピー、プリンタ、ＡＲＤＦ(Auto Reverse Document Feeder)などの複合的な機能を提供しており、ユーザからの直接指令または情報処理装置１４などのジョブ要求、公衆電話網２４から受信したファクシミリ・データを処理し、画像形成を行う。
【００２０】
次に、画像形成装置１２について図２の機能ブロック図を参照して説明する。
画像形成装置１２は、プリンタ、コピー、ファクシミリなどの機能を提供するための各種機能を含んでおり、ドキュメントを読み込んで、光学読み取りを行うためのＡＲＤＦ３０と、ユーザに対して各種設定を可能とする、ＬＣＤパネルを含む操作パネル３４とを含む。ＡＲＤＦ３０は、原稿台上にセットされたドキュメントを、モータ３２を起動してドキュメントの光学読み取りを行うスキャナ３６に送り、照射光学系、駆動モータ、ＣＣＤなどを駆動してドキュメントをデジタル・データに変換する。
【００２１】
画像形成装置１２は、本発明における少なくともファクシミリ送受信に係わる制御を行うコントローラであるコントローラ３８と、画像形成を担当する印刷制御部を含むプリンタエンジン５２とを備えている。
【００２２】
コントローラ３８は、ＵＮＩＸ（登録商標）、ＬＩＮＵＸ（登録商標）、Ｗｉｎｄｏｗｓ（登録商標）２００Ｘサーバなどのオペレーティング・システム（以下、ＯＳとして参照する。）を動作する、ＣＰＵ（図示せず）を含んでいる。コントローラ３８は、上述したＯＳの下で、Ｃ、Ｃ＋＋、ＪＡＶＡ（登録商標）、Ｐｅｒｌなどのプログラミング言語で記述されたアプリケーション・プログラムやＡｐａｃｈｅ、サーブレットなどのサーバ・プログラムを実行し、ウェブ・サーバの一部機能も提供する。
【００２３】
また、コントローラ３８は、ストレージ管理部４０と、通信処理部４２と、イメージ変換部４４とを備えている。ストレージ管理部４０は、ＳＤＲＡＭ、ハードディスク装置などの記憶装置５６の入出力管理を実行する。また、通信処理部は、５６Ｋｂｐｓまたは１２６Ｋｂｐｓ程度の通信レートのファックス・モデム５８から受信したＩＴＵ−Ｔ勧告Ｔ．６などのプロトコルでデータを、ランレングス符号化、ＭＲ、ＭＭＲなどの符号化方法を使用して復号化し、また画像形成装置１２からのファクシミリ送信のためにデジタル・データをコードする。また、通信処理部４２は、ＩＰプロトコル・スイートおよびＴＣＰ／ＩＰまたはＵＤＰ／ＩＰを使用するデータ伝送も管理する。
【００２４】
通信処理部４２は、コントローラ３８が含むアプリケーション・プログラムからのデータ伝送要求を受付け、ＩＰパケットまたはフレームを作成し、ネットワーク・インタフェース・カード（ＮＩＣ）６０からイーサネット（登録商標）またはワイヤレスＬＡＮへとデータを伝送し、また入来データをアプリケーション・プログラムへと伝送する。なお、通信処理部４２は、上述した処理を実行するため、ＰＰＰ(Point to Point Protocol)およびＰＰＰｏＥ（PPP on Ethernet（登録商標））などのデータ接続プロトコルをサポートする。
【００２５】
イメージ変換部４４は、画像処理装置１２が取得したデータを、ＧＩＦ、ＢＭＰ、ＪＰＥＧ、ＪＰＥＧ２０００、ＴＩＦＦ、ＰＮＧなどのイメージ・データに変換し、変換されたイメージ・データを使用してＰＤＬ(Page Description Language)を作成し、作成したＰＤＬをプリンタエンジン５２に渡し、画像形成させる。
【００２６】
その他、コントローラ３８は、フラッシュＲＯＭ５０などを実装し、画像形成装置１２の起動時のセットアップ・データや画像形成に使用する色変換データなどを管理している。ＵＳＢ制御部４８を含んでいて、ＵＳＢコネクタ６２を介してＵＳＢホスト（図示せず）やプリンタエンジン５２との間のバス接続を管理する。
【００２７】
なお、ＵＳＢ制御部４８は、ＩＥＥＥ８０２．１５などにより規定されるＵＷＢプロトコルをサポートしていても良い。
【００２８】
画像形成装置１２は、ＰＳＵ５４を実装していて、ＰＳＵ５４は、画像形成装置１２の電源管理を行っている。
【００２９】
コントローラ３８とプリンタエンジン５２は、コントローラ３８がホスト、プリンタエンジン５２がデバイスとなってＵＳＢ通信をすることで、印刷データや印刷に必要な制御パラメータの送受信を行なう。
【００３０】
プリンタエンジン５２は、電子写真法又はインクジェット法を使用した画像形成を行っており、各画像形成方法により画像を形成するため、感光体、半導体レーザ、現像器、転写装置、定着装置またはインク容器およびインクジェット・ノズルなどを含んで構成されている。また、プリンタエンジン５２は、ＰＪＬ(Printer Job Language)をサポートしていて、外部からのプリント要求に対応した印刷を実行することができる。
【００３１】
ＳＤＲＡＭなどの記憶装置５６は、複数のデータセットを管理する。記憶装置５６が管理する本実施形態にかかわるデータセットは、送信元登録データ（ＳＵＣ＿ＡＤＤＲ：source_Address）６４、通知先登録データ（ＡＣＫ＿ＡＤＤＲ：Acknowledge_Address）６６、およびＭＩＢ（Management Information Base）６８である。
【００３２】
送信元登録データ６４は、ユーザがあらかじめ設定し、受信したファクシミリ・データの通知を受けるか否かを指定するデータである。送信元登録データ６４は、ファクシミリ番号のフォーマットで登録する。また、通知先登録データ６６は、当該ユーザの通知先アドレスを登録する。通知先登録データ６６は、種々のフォーマットで登録することができ、例えば、メーラ４６を使用して電子メールとして通知メッセージを送信するための電子メール・アドレス、ＭＡＣアドレス、ＩＰアドレス（プライベート・アドレス／サブネット・マスクで規定されるローカル・ドメイン）、または端末名称を使用することができる。ＭＡＣアドレス、ＩＰアドレスを通知先登録データ６６として使用する場合、端末名称またはユーザ識別値と、ＭＡＣアドレスまたはＩＰアドレスとの対応テーブルを実装することが、ユーザ入力の手間を省くためには好ましい。また、ネットワーク基盤がＴＣＰ／ＩＰではなく、ＮＥＴＢＩＯＳを使用している場合には、端末名称を使用して、端末名称とＩＰアドレスとＭＡＣアドレスなどを対応させて登録したルックアップテーブルなどを通知先登録データ６６とすることができる。
【００３３】
ＭＩＢは、ＲＦＣ１１５６として規定されているＭＩＢ１またはＲＦＣ１２１３で規定されているＭＩＢ２を使用して構成される、ネットワーク管理情報を登録するデータセットであり、管理するべき画像形成装置に状態を、オブジェクト識別値（ＯＩＤ）およびそのステータス・データとして対応づけて管理する。
【００３４】
なお、情報処理装置１４およびサーバ２６は、パーソナル・コンピュータ、ワークステーション、ブレード・サーバやシンサーバなどサーバ専用の情報処理装置である。情報処理装置１４は、アプリケーション・ソフトによる処理結果を、プリンタ・ドライバを介して画像形成装置１２に伝送し、画像形成装置１２に対して処理結果を出力させている。また、サーバ２６がプリンタ・サーバとして提供されている場合には、サーバ２６は、情報処理装置１４からのプリント要求を受付け、適切な画像形成装置１２にプリントジョブを指令している。
【００３５】
次に、画像形成装置１２のＭＦＰコントローラ３８のソフトウエア構成について図３のブロック説明図を参照して説明する。
ポータルソフトウエア（Portal Software）１０１は、各機能のアプリケーションソフトの設定、削除を行う。ドキュメントマネージャ（Document manage）１０２、スキャン（Scan）１０３、ファックス（FAX）１０４、プリント（print）１０５は、マルチファンクション画像形成装置に必要な各種アプリケーションソフトである。
【００３６】
ＴＷＩＮドライバ（TWAIN driver）１１２は、スキャナなどのイメージスキャナから入力した画像データをＰＣ上で使用が可能な形式に変換する。
ＰＣ−ＦＡＸドライバ（PC-FAX driver）１１３は、ＦＡＸより入出力された画像データをＰＣ上で使用が可能な形式に変換する。
ＲＰＣＳドライバ（RPCS driver）１１４は、画像データをプリンタ出力（印刷出力）が可能な形式に変換する。
【００３７】
ＰＣＬドライバ（PCL driver）１１５は、ＰＣＬ（ページ記述言語）形式の印刷データをプリンタ出力可能な形式に変換する。
ＳＭＵ（System Management Unit）１１６は、ＡＩＯ機器情報を管理をし、各ドライバ（driver）のデータサイズや図１のＲＡＭ／ＲＯＭ容量情報などの機器情報も記憶する。
ＭＩＢ１１７は、機器情報データベースを意味する。
ＬＳＤ(Local Status and Diagnostic)１１８：ＰＣ（パーソナルコンピュータ）上からＵＳＢ等を経由して機器設定の登録・変更を行うアプリケーションである。
【００３８】
次に、本発明の第１実施形態について図４のフロー図を参照して説明する。
まず、不揮発性メモリ（ＮＶＲＡＭ）７０（図２参照）に電源キーよる装置起動制御が行なわれたか否かに関する情報、つまり、電源キーの操作による電源のＯＮ／ＯＦＦ状態を示す電源遷移情報を記憶する記憶する領域「電源キーＯＮ情報」が定義されている。
【００３９】
スキャナ読取／ＦＡＸ機能／ネットワーク機能部の制御を司るコントローラ３８は、電源キー操作によって装置の電源ＯＮが行なわれている間は、不揮発性メモリ７０に「電源キーＯＮ情報」を保持し、電源キー操作によって装置の電源がＯＦＦされたときに「電源キーＯＮ情報」をクリアする。例えば、ＲＡＭ７０１の領域のｂｉｔ信号（１：ソフトスイッチ（電源キー）から電源ＯＮのとき／０：ソフトスイッチ（電源キー）から電源ＯＦＦのとき）を切り替える。
【００４０】
そして、ＡＣ（商用電源）無給電（停電、電源コードプラグアウト）状態から装置への給電（停電復旧、電源コードプラグイン）が行われときに、コントローラ３８の図示しないＣＰＵ（中央処理装置）に対して、ソフト（プログラム）を起動できる最小限の給電と信号入力を行ない（ステップ１１０１、以下「Ｓ１１０１」のように表記する。）、コントローラ３８のソフトが起動する（Ｓ１１０２）。
【００４１】
コントローラ３８は、ソフト起動後、不揮発性ＲＡＭ７０に保持されている「電源キーＯＮ情報」が「１」（電源キーによる電源ＯＮ状態）か「０」（電源キーによる電源ＯＦＦ状態）かを判別する（Ｓ１１０３）。
【００４２】
ここで、「電源キーＯＮ情報」が「１」（電源キーによる電源ＯＮ）となっていたときには、電源ＯＮ状態であるにも通電が開始されたことになるから、停電又は電源コードプラグアウト（以下、単に「停電」という。）で装置の給電が停止した（電源断）後の給電開始（停電による無給電）と判断し（Ｓ１１０４）、コントローラ３８はソフトの起動を継続し（Ｓ１１０５）、プリンタエンジン５２側への給電を行わせて、プリンタエンジン５２のソフト（プログラム）を起動させ（Ｓ１１０６）、装置全体を電源ＯＮ状態にして装置の起動を完了する（Ｓ１１０７）。
【００４３】
これに対し、「電源キーＯＮ情報」が「０」（電源キーによる電源ＯＦＦ）となっていたときには、ソフトスイッチ（電源キー）による無給電と判断し（Ｓ１００８）、コントローラ３８はソフトの起動処理を中断し（Ｓ１００９）、内部ＣＰＵへの給電をＯＦＦする処理を実行して装置を電源ＯＦＦ状態にする（Ｓ１０１０）。
【００４４】
このように、電源キーの操作による装置の電源のＯＮ／ＯＦＦ状態を示す電源遷移情報を記憶し、通電が開始されたときに電源遷移情報がＯＮ状態であるか否かを判別し、判別の結果、電源遷移情報がＯＮ状態であるときには停電又は電源プラグが抜かれたことによる電源断後からの給電開始であるとして印刷制御部への給電を行わせる制御をする構成とすることで、ソフトスイッチしか備えない場合でも停電などによる電源断が復旧したときには装置全体が起動され、コストの増加を伴うことなく、停電などによる電源断の場合の受信ダウン（受信できない状態）の時間を短縮することができる。
【００４５】
次に、本発明の第２実施形態について図５のフロー図を参照して説明する。
本実施形態におけるＳ１１０１ないしＳ１１１０の処理は前記第１実施形態のＳ１００１ないしＳ１０１０までと同じである。ここでは、停電による無給電から装置の起動を完了した（Ｓ１１０７）後、図示しない装置のＬＣＤパネルなどの表示手段に、停電で装置の電源がＯＦＦされた可能性がある旨の文字メッセージを表示し（Ｓ１１１１）、ユーザーがパネル上にある何れかのキー入力を行なったとき（Ｓ１１１２）には、メッセージの表示を終了する（Ｓ１１１３）。
【００４６】
これにより、停電による電源断が発生していてファクシミリ受信が行われなかった場合があることをユーザーが認識できるようになる。
【００４７】
次に、本発明の第３実施形態について図６のフロー図を参照して説明する。
本実施形態では、不揮発性ＲＡＭ７０にＲＴＣ（リアルタイムクロック）の時間情報を記憶する記憶する領域「電源ＯＮ時刻情報」を定義しておき、コントローラ３８は、電源キーの操作によって装置の電源ＯＮが行なわれている間は、一定期間（例えば本実施形態では、１０分とする）毎に、ＲＴＣから不揮発性ＲＡＭ７０に「電源ＯＮ時刻情報」を取得し続ける。なお、時間情報取得間隔は１０分に限るものではなく、本発明の対象となる装置システム構成（ＣＰＵ性能や無給電時間算出精度の要求）のレベルを基に検証を行い決定すればよい。
【００４８】
そして、本実施形態におけるＳ１２０１ないしＳ１２１０の処理は前記第２実施形態のＳ１１０１ないしＳ１１１０までと同じである。ここでは、停電による無給電から装置の起動を完了した（Ｓ１２０７）後、ＲＴＣから現在時刻情報を取得し（Ｓ１２１４）、電源ＯＮ時刻情報と現在時刻から無給電時間を算出し（Ｓ１２１５）、図示しない装置のＬＣＤパネルなどの表示手段に、算出された無給電時間の間停電で装置の電源がＯＦＦされた可能性がある旨の文字メッセージを表示し（Ｓ１２１６）、ユーザーがパネル上にある何れかのキー入力を行なったとき（Ｓ１２１７）には、メッセージの表示を終了する（Ｓ１２１８）。
【００４９】
これにより、停電による電源断が発生していてファクシミリ受信が行われなかった時間がどれだけあるかをユーザーが認識できるようになる。
【００５０】
次に、本発明の第４実施形態について図７のフロー図を参照して説明する。
本実施形態におけるＳ１３０１ないしＳ１３１５の処理は前記第３実施形態のＳ１２０１ないしＳ１２１５までと同じである。そして、本実施形態では、Ｓ１３１５で算出した前記無給電時間と予め定めた無給電表示時間とを比較し（Ｓ１３１９）、無給電時間が無給電表示時間以上である、つまり、メッセージを表示するか否かを判別する（Ｓ１３２０）。
【００５１】
ここで、無給電時間が無給電表示時間以上であるときには、前記第３実施形態と同様に、算出された無給電時間の間停電で装置の電源がＯＦＦされた可能性がある旨の文字メッセージを表示し（Ｓ１３１６）、ユーザーがパネル上にある何れかのキー入力を行なったとき（Ｓ１３１７）には、メッセージの表示を終了する（Ｓ１３１８）。これに対し、無給電時間が無給電表示時間以上でないときには、メッセージを表示しない。
【００５２】
これにより、瞬断、ごく短時間の停電で常にメッセージが表示されることによる装置の使い勝手の低下を防止できる。
【００５３】
なお、上述した処理はプログラムによってコンピュータに行なわせており、このプログラムは、記憶媒体に記憶して提供することができ、或はインターネットネットなどのネットワークを通じてダウンロードすることで提供される。また、上記実施形態で説明した画像形成装置とホスト側（情報処理装置）とを組みあせて画像形成システムを構成することもできる。
【符号の説明】
【００５４】
１２  画像形成装置
３０  ＡＲＤＦ
３８  コントローラ
５２  プリンタエンジン（印刷制御部）
５６  記憶装置
７０  ＮＶＲＡＭ（不揮発性メモリ）
【図１】
0005691624.tif 000002
【図２】
0005691624.tif 000003
【図３】
0005691624.tif 000004
【図４】
0005691624.tif 000005
【図５】
0005691624.tif 000006
【図６】
0005691624.tif 000007
【図７】
0005691624.tif 000008